(57)【要約】【課題】携帯端末から画像形成出力を実行する場合において、複数の画像形成装置間の連携を容易化すること。【解決手段】他の画像形成出力を連携実行することを判断した場合に、連携先である画像処理装置のＩＰアドレスを近距離通信によりモバイル端末３から取得し、取得したＩＰアドレスに基づいて連携が可能であること及びカードＩＤを通知し、他の画像処理装置から連携が可能であることの通知と共に通知されたカードＩＤに基づき、そのカードＩＤに関連付けて格納されたジョブＩＤによって識別される印刷ジョブに係る画像形成出力の一部を他の画像処理装置に実行させるための印刷ジョブを生成し、連携が可能であることの通知元に送信することを特徴とする画像処理システム。【選択図】図６
2014038421.tif 000002
【特許請求の範囲】
【請求項１】
携帯型情報処理端末との間で近距離通信が可能な画像処理装置であって、
携帯型情報処理端末を識別するための端末識別情報を近距離通信により前記携帯型情報処理端末から取得する端末識別情報取得部と、
前記端末識別情報を取得した携帯型情報処理端末に対して、自身をネットワーク上で識別するためのネットワーク識別情報を近距離通信により送信するネットワーク識別情報送信部と、
送信した前記ネットワーク識別情報に基づいて前記携帯型情報処理端末から送信された画像形成出力の実行命令を受信し、画像形成出力の実行を制御すると共に、前記実行命令を識別するための実行命令識別情報と取得された前記端末識別情報とを関連付けて記憶媒体に格納する画像形成制御部と、
前記端末識別情報を取得すると共に前記ネットワーク識別情報を送信した後、他の画像処理装置において実行されている他の画像形成出力を連携して実行することを判断する連携判断部と、
前記他の画像形成出力を連携実行することを判断した場合に、連携先である画像処理装置のネットワーク識別情報を近距離通信により前記携帯型情報処理端末から取得する連携先ネットワーク識別情報取得部と、
取得した前記連携先ネットワーク識別情報に基づき、前記連携先である画像処理装置に対して画像形成出力の連携が可能であること及び取得した前記端末識別情報を通知する連携可能通知部と、
他の画像処理装置から連携が可能であることの通知と共に通知された前記端末識別情報に基づき、その端末識別情報に関連付けて格納された実行命令識別情報によって識別される実行命令に係る画像形成出力の一部を他の画像処理装置に実行させるための実行命令を生成し、前記連携が可能であることの通知元に送信する連携実行命令送信部とを含むことを特徴とする画像処理装置。
【請求項２】
前記連携判断部は、前記端末識別情報を取得すると共に前記ネットワーク識別情報を送信した後、送信した前記ネットワーク識別情報に基づいて前記携帯型情報処理端末から送信された画像形成出力の実行命令を所定の期間以内に受信しなかった場合に、他の画像処理装置において実行されている他の画像形成出力を連携して実行することを判断することを特徴とする請求項１に記載の画像処理装置。
【請求項３】
前記連携判断部は、前記端末識別情報を取得すると共に前記ネットワーク識別情報を送信した後、自身が画像形成出力の実行中ではなく、且つ送信した前記ネットワーク識別情報に基づいて前記携帯型情報処理端末から送信された画像形成出力の実行命令を所定の期間以内に受信しなかった場合に、他の画像処理装置において実行されている他の画像形成出力を連携して実行することを判断することを特徴とする請求項２に記載の画像処理装置。
【請求項４】
前記連携判断部は、前記端末識別情報を取得すると共に前記ネットワーク識別情報を送信した後、他の画像形成出力を連携して実行することを判断するための判断情報が前記携帯型情報処理端末に格納されている場合に、他の画像処理装置において実行されている他の画像形成出力を連携して実行することを判断することを特徴とする請求項１に記載の画像処理装置。
【請求項５】
前記判断情報は、他の画像処理装置のネットワーク識別情報であることを特徴とする請求項４に記載の画像処理装置。
【請求項６】
前記判断情報は、前記携帯型情報処理端末において前記画像形成出力の実行命令の送信に際して格納された識別情報であることを特徴とする請求項４に記載の画像処理装置。
【請求項７】
前記画像形成制御部は、不具合によって画像形成出力が中断した場合に、実行命令に係る画像形成出力のうち出力が完了した部分を認識し、
前記連携実行命令送信部は、他の画像処理装置から連携が可能であることの通知を受けた場合に、実行命令に係る画像形成出力のうち、認識された前記出力が完了した部分の残りの部分を他の画像処理装置に実行させるための実行命令を生成し、前記連携が可能であることの通知元に送信することを特徴とする請求項１乃至６いずれか１項に記載の画像処理装置。
【請求項８】
携帯型情報処理端末を介して複数の画像処理装置を連携させる画像処理システムであって、
携帯型情報処理端末を識別するための端末識別情報を近距離通信により前記携帯型情報処理端末から取得する端末識別情報取得部と、
前記端末識別情報を取得した携帯型情報処理端末に対して、自身をネットワーク上で識別するためのネットワーク識別情報を近距離通信により送信するネットワーク識別情報送信部と、
送信された前記ネットワーク識別情報を前記携帯型情報処理端末において受信して記憶媒体に格納し、格納した前記ネットワーク識別情報に基づいて画像形成出力の実行命令を送信する画像形成出力命令送信部と、
前記携帯型情報処理端末から送信された画像形成出力の実行命令を受信し、画像形成出力の実行を制御すると共に、前記実行命令を識別するための実行命令識別情報と取得された前記端末識別情報とを関連付けて記憶媒体に格納する画像形成制御部と、
前記端末識別情報を取得すると共に前記ネットワーク識別情報を送信した後、他の画像処理装置において実行されている他の画像形成出力を連携して実行することを判断する連携判断部と、
前記他の画像形成出力を連携実行することが判断された場合に、連携先である画像処理装置のネットワーク識別情報を近距離通信により前記携帯型情報処理端末から取得する連携先ネットワーク識別情報取得部と、
前記連携先ネットワーク識別情報取得部の要求に応じて、前記携帯型情報処理端末において格納されている前記ネットワーク識別情報を前記ネットワーク識別情報取得部に送信する連携先ネットワーク識別情報送信部と、
取得した前記連携先ネットワーク識別情報に基づき、前記連携先である画像処理装置に対して画像形成出力の連携が可能であること及び取得した前記端末識別情報を通知する連携可能通知部と、
他の画像処理装置から連携が可能であることの通知と共に通知された前記端末識別情報に基づき、その端末識別情報に関連付けて格納された実行命令識別情報によって識別される実行命令に係る画像形成出力の一部を他の画像処理装置に実行させるための実行命令を生成し、前記連携が可能であることの通知元に送信する連携実行命令送信部とを含むことを特徴とする画像処理システム。
【請求項９】
前記画像形成制御部は、受信した実行命令に係る画像形成出力が完了した場合に、前記実行命令の送信元である前記携帯型情報処理端末に対して完了通知を送信し、
前記画像形成出力命令送信部は、前記完了通知を受信した場合に、前記携帯型情報処理端末において格納されている前記ネットワーク識別情報を消去することを特徴とする請求項８に記載の画像処理システム。
【請求項１０】
携帯型情報処理端末との間で近距離通信が可能な画像処理装置の制御プログラムであって、
携帯型情報処理端末を識別するための端末識別情報を近距離通信により前記携帯型情報処理端末から取得するステップと、
前記端末識別情報を取得した携帯型情報処理端末に対して、自身をネットワーク上で識別するためのネットワーク識別情報を近距離通信により送信するステップと、
送信した前記ネットワーク識別情報に基づいて前記携帯型情報処理端末から送信された画像形成出力の実行命令を受信し、画像形成出力の実行を制御すると共に、前記実行命令を識別するための実行命令識別情報と取得された前記端末識別情報とを関連付けて記憶媒体に格納するステップと、
前記端末識別情報を取得すると共に前記ネットワーク識別情報を送信した後、他の画像処理装置において実行されている他の画像形成出力を連携して実行することを判断するステップと、
前記他の画像形成出力を連携実行することを判断した場合に、連携先である画像処理装置のネットワーク識別情報を近距離通信により前記携帯型情報処理端末から取得するステップと、
取得した前記連携先ネットワーク識別情報に基づき、前記連携先である画像処理装置に対して画像形成出力の連携が可能であること及び取得した前記端末識別情報を通知するステップと、
他の画像処理装置から連携が可能であることの通知と共に通知された前記端末識別情報に基づき、その端末識別情報に関連付けて格納された実行命令識別情報によって識別される実行命令に係る画像形成出力の一部を他の画像処理装置に実行させるための実行命令を生成し、前記連携が可能であることの通知元に送信するステップとを情報処理装置に実行させることを特徴とする画像処理装置の制御プログラム。
【発明の詳細な説明】
【技術分野】
【０００１】
本発明は、画像処理装置、画像処理システム及び画像処理装置の制御プログラムに関し、特に、複数機器の連携に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
このような画像処理装置のうち、電子化された情報の出力に用いられる画像形成装置において、同じ印刷ページを多部数印刷する場合に、指定した部数の全ての印刷が完了するまでの時間を短縮するために、複数のプリンタで部数を分担して印刷する方法（以降、分散印刷とする）が実施されている。
【０００４】
他方、近年、携帯電話が高機能化され、ＰＣ（Ｐｅｒｓｏｎａｌ  Ｃｏｍｐｕｔｅｒ）に準じた情報処理機能を有するスマートフォンやタブレット端末のような携帯型情報処理端末（以降、「携帯端末」とする）の普及が進んでいる。このような携帯端末の使用により、業務上においてＰＣから画像形成装置へ画像データを送信して画像形成出力を実行する従来の態様に加えて、携帯端末から画像形成装置へ画像データを送信して画像形成出力を実行する態様も増えている。
【０００５】
このような携帯端末と画像形成装置を連動させるための技術として、ＮＦＣ（Ｎｅａｒ  Ｆｉｅｌｄ  Ｃｏｍｍｕｎｉｃａｔｉｏｎ）を用いた使用権限の認証処理が提案されている（例えば、特許文献１参照）。
【発明の概要】
【発明が解決しようとする課題】
【０００６】
上述したような分散印刷においては、連携させる夫々の画像形成装置において、他の画像形成装置の情報を登録しておく必要がある。そのため、機器制御やネットワークに関する知識が不十分であるユーザにとっては困難な作業となる。特許文献１に開示された技術は、携帯端末と画像形成装置との間の情報のやり取りを規定したものであり、画像形成装置間の連携に際して情報の事前登録が必要である点は同様である。
【０００７】
本発明は、このような課題を解決するためになされたものであり、携帯端末から画像形成出力を実行する場合において、複数の画像形成装置間の連携を容易化することを目的とする。
【課題を解決するための手段】
【０００８】
上記課題を解決するために、本発明の一態様は、携帯型情報処理端末との間で近距離通信が可能な画像処理装置であって、携帯型情報処理端末を識別するための端末識別情報を近距離通信により前記携帯型情報処理端末から取得する端末識別情報取得部と、前記端末識別情報を取得した携帯型情報処理端末に対して、自身をネットワーク上で識別するためのネットワーク識別情報を近距離通信により送信するネットワーク識別情報送信部と、送信した前記ネットワーク識別情報に基づいて前記携帯型情報処理端末から送信された画像形成出力の実行命令を受信し、画像形成出力の実行を制御すると共に、前記実行命令を識別するための実行命令識別情報と取得された前記端末識別情報とを関連付けて記憶媒体に格納する画像形成制御部と、前記端末識別情報を取得すると共に前記ネットワーク識別情報を送信した後、他の画像処理装置において実行されている他の画像形成出力を連携して実行することを判断する連携判断部と、前記他の画像形成出力を連携実行することを判断した場合に、連携先である画像処理装置のネットワーク識別情報を近距離通信により前記携帯型情報処理端末から取得する連携先ネットワーク識別情報取得部と、取得した前記連携先ネットワーク識別情報に基づき、前記連携先である画像処理装置に対して画像形成出力の連携が可能であること及び取得した前記端末識別情報を通知する連携可能通知部と、他の画像処理装置から連携が可能であることの通知と共に通知された前記端末識別情報に基づき、その端末識別情報に関連付けて格納された実行命令識別情報によって識別される実行命令に係る画像形成出力の一部を他の画像処理装置に実行させるための実行命令を生成し、前記連携が可能であることの通知元に送信する連携実行命令送信部とを含むことを特徴とする。
【０００９】
また、本発明の他の態様は、携帯型情報処理端末を介して複数の画像処理装置を連携させる画像処理システムであって、携帯型情報処理端末を識別するための端末識別情報を近距離通信により前記携帯型情報処理端末から取得する端末識別情報取得部と、前記端末識別情報を取得した携帯型情報処理端末に対して、自身をネットワーク上で識別するためのネットワーク識別情報を近距離通信により送信するネットワーク識別情報送信部と、送信された前記ネットワーク識別情報を前記携帯型情報処理端末において受信して記憶媒体に格納し、格納した前記ネットワーク識別情報に基づいて画像形成出力の実行命令を送信する画像形成出力命令送信部と、前記携帯型情報処理端末から送信された画像形成出力の実行命令を受信し、画像形成出力の実行を制御すると共に、前記実行命令を識別するための実行命令識別情報と取得された前記端末識別情報とを関連付けて記憶媒体に格納する画像形成制御部と、前記端末識別情報を取得すると共に前記ネットワーク識別情報を送信した後、他の画像処理装置において実行されている他の画像形成出力を連携して実行することを判断する連携判断部と、前記他の画像形成出力を連携実行することが判断された場合に、連携先である画像処理装置のネットワーク識別情報を近距離通信により前記携帯型情報処理端末から取得する連携先ネットワーク識別情報取得部と、前記連携先ネットワーク識別情報取得部の要求に応じて、前記携帯型情報処理端末において格納されている前記ネットワーク識別情報を前記ネットワーク識別情報取得部に送信する連携先ネットワーク識別情報送信部と、取得した前記連携先ネットワーク識別情報に基づき、前記連携先である画像処理装置に対して画像形成出力の連携が可能であること及び取得した前記端末識別情報を通知する連携可能通知部と、他の画像処理装置から連携が可能であることの通知と共に通知された前記端末識別情報に基づき、その端末識別情報に関連付けて格納された実行命令識別情報によって識別される実行命令に係る画像形成出力の一部を他の画像処理装置に実行させるための実行命令を生成し、前記連携が可能であることの通知元に送信する連携実行命令送信部とを含むことを特徴とする。
【００１０】
また、本発明の更に他の態様は、携帯型情報処理端末との間で近距離通信が可能な画像処理装置の制御プログラムであって、携帯型情報処理端末を識別するための端末識別情報を近距離通信により前記携帯型情報処理端末から取得するステップと、前記端末識別情報を取得した携帯型情報処理端末に対して、自身をネットワーク上で識別するためのネットワーク識別情報を近距離通信により送信するステップと、送信した前記ネットワーク識別情報に基づいて前記携帯型情報処理端末から送信された画像形成出力の実行命令を受信し、画像形成出力の実行を制御すると共に、前記実行命令を識別するための実行命令識別情報と取得された前記端末識別情報とを関連付けて記憶媒体に格納するステップと、前記端末識別情報を取得すると共に前記ネットワーク識別情報を送信した後、他の画像処理装置において実行されている他の画像形成出力を連携して実行することを判断するステップと、前記他の画像形成出力を連携実行することを判断した場合に、連携先である画像処理装置のネットワーク識別情報を近距離通信により前記携帯型情報処理端末から取得するステップと、取得した前記連携先ネットワーク識別情報に基づき、前記連携先である画像処理装置に対して画像形成出力の連携が可能であること及び取得した前記端末識別情報を通知するステップと、他の画像処理装置から連携が可能であることの通知と共に通知された前記端末識別情報に基づき、その端末識別情報に関連付けて格納された実行命令識別情報によって識別される実行命令に係る画像形成出力の一部を他の画像処理装置に実行させるための実行命令を生成し、前記連携が可能であることの通知元に送信するステップとを情報処理装置に実行させることを特徴とする。
【発明の効果】
【００１１】
本発明によれば、携帯端末から画像形成出力を実行する場合において、複数の画像形成装置間の連携を容易化することができる。
【図面の簡単な説明】
【００１２】
【図１】本発明の実施形態に係る画像処理システムの運用形態を示す図である。
【図２】本発明の実施形態に係る情報処理装置のハードウェア構成を模式的に示すブロック図である。
【図３】本発明の実施形態に係る画像処理装置の機能構成を示すブロック図である。
【図４】本発明の実施形態に係るモバイル機器の機能構成を示すブロック図である。
【図５】本発明の実施形態に係るクライアントアプリケーションによって管理される情報の例を示す図である。
【図６】本発明の実施形態に係る画像処理システムの動作を示すシーケンス図である。
【図７】本発明の実施形態に係るジョブＩＤ、カードＩＤ及び連携機器ＩＰアドレスの関連付けの情報を示す図である。
【図８】本発明の実施形態に係る連携機器の判断動作を示すフローチャートである。
【図９】本発明の実施形態に係る印刷ジョブの送信時のモバイル端末の動作を示すフローチャートである。
【発明を実施するための形態】
【００１３】
以下、図面を参照して、本発明の実施形態を詳細に説明する。本実施形態においては、スマートフォンやタブレット端末等のモバイル機器から画像形成装置に画像データを送信して画像形成出力を実行させる場合において、複数の画像形成装置が分散して画像形成出力を実行する分散印刷を容易に実現可能な画像処理システムを例として説明する。
【００１４】
図１は、本実施の形態に係る画像処理システムの運用形態の例を示す図である。図１に示すように、本実施形態に係る画像処理システムは、画像処理装置１、画像処理装置２及びモバイル端末３が、インターネットやＬＡＮ（Ｌｏｃａｌ  Ａｒｅａ  Ｎｅｔｗｏｒｋ）等のネットワークを介して接続されて構成される。
【００１５】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。また、画像処理装置２は、プリンタ機能のみを備える画像形成装置である。モバイル端末３は、スマートフォン、タブレット端末、ＰＤＡ（Ｐｅｒｓｏｎａｌ  Ｄｉｇｉｔａｌ  Ａｓｓｉｓｔａｎｔｓ）等の可搬型の情報処理端末である。本実施形態に係るは、画像処理装置１、２に対して、画像形成出力を実行させるための印刷ジョブを直接送信する機能を有する。
【００１６】
次に、本実施形態に係る画像処理システムに含まれる画像処理装置１、２及びモバイル端末３等の情報処理装置を構成するハードウェアについて説明する。図２は、本実施形態に係る情報処理装置のハードウェア構成を示すブロック図である。図２に示すように、本実施形態に係る情報処理装置は、一般的なサーバやＰＣ等と同様の構成を含む。
【００１７】
即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像処理装置１、２の場合、画像形成出力やスキャンを実行するエンジンが含まれる。
【００１８】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００１９】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボード、マウス、各種のハードボタン、タッチパネル等、ユーザが情報処理装置に情報を入力するためのユーザインタフェースである。
【００２０】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る画像処理システムを構成する各機器の機能を実現する機能ブロックが構成される。
【００２１】
次に、本実施形態に係る画像処理装置１の機能について説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１２０、排紙トレイ１３０、ディスプレイパネル１４０、給紙テーブル１５０、プリントエンジン１６０、排紙トレイ１７０、ネットワークＩ／Ｆ１８０及びカードＲ／Ｗ１９０を有する。
【００２２】
また、コントローラ１００は、主制御部１０１、エンジン制御部１０２、入出力制御部１０３、画像処理部１０４及び操作表示制御部１０５を有する。図３に示すように、本実施形態に係る画像処理装置１は、スキャナユニット１２０、プリントエンジン１６０を有する複合機として構成されている。尚、図３においては、電気的接続を実線の矢印で示しており、用紙の流れを破線の矢印で示している。
【００２３】
ディスプレイパネル１４０は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ネットワークＩ／Ｆ１８０は、画像処理装置１がネットワークを介して管理者用端末等の他の機器と通信するためのインタフェースであり、Ｅｔｈｅｒｎｅｔ（登録商標）やＵＳＢインタフェースが用いられる。
【００２４】
カードＲ／Ｗ１９０は、画像処理装置１が近距離無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。
【００２５】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像処理装置１全体を制御する制御部として機能する。
【００２６】
主制御部１０１は、コントローラ１００に含まれる各部を制御する役割を担い、コントローラ１００の各部に命令を与える。エンジン制御部１０２は、プリントエンジン１６０やスキャナユニット１２０等を制御若しくは駆動する駆動手段としての役割を担う。入出力制御部１０３は、ネットワークＩ／Ｆ１８０、カードＲ／Ｗ１９０を介して入力される信号や命令を主制御部１０１に入力する。また、主制御部１０１は、入出力制御部１０３を制御し、ネットワークＩ／Ｆ１８０やカードＲ／Ｗ１９０及びネットワークを介して他の装置にアクセスする。
【００２７】
画像処理部１０４は、主制御部１０１の制御に従い、印刷出力すべき画像情報に基づいて描画情報を生成する。この描画情報とは、画像形成部であるプリントエンジン１６０が画像形成動作において形成すべき画像を描画するための情報である。また、画像処理部１０４は、スキャナユニット１２０から入力される撮像データを処理し、画像データを生成する。この画像データとは、スキャナ動作の結果物として画像処理装置１に格納され若しくはネットワークＩ／Ｆ１８０や近距離通信Ｉ／Ｆ１９０を介して他の機器に送信される情報である。操作表示制御部１０５は、ディスプレイパネル１４０に情報表示を行い若しくはディスプレイパネル１４０を介して入力された情報を主制御部１０１に通知する。
【００２８】
尚、プリンタ機能のみを有する画像処理装置２の場合、図３に示すＡＤＦ１１０、スキャナユニット１２０及び排紙トレイ１３０が省略されると共に、エンジン制御部１０２の機能から、ＡＤＦ１１０、スキャナユニット１２０及び排紙トレイ１３０を制御するための機能が省略される。
【００２９】
画像処理装置１、２がプリンタとして動作する場合は、まず、入出力制御部１０３がネットワークＩ／Ｆ１８０を介して印刷ジョブを受信する。入出力制御部１０３は、受信した印刷ジョブを主制御部１０１に転送する。主制御部１０１は、印刷ジョブを受信すると、画像処理部１０４を制御して印刷ジョブに含まれる文書情報若しくは画像情報に基づいて描画情報を生成する。画像処理部１０４によって描画情報が生成されると、エンジン制御部１０２は、生成された描画情報に基づき、給紙テーブル１５０から搬送される用紙に対して画像形成を実行する。プリントエンジン１６０の具体的態様としては、インクジェット方式による画像形成機構や電子写真方式による画像形成機構等を用いることが可能である。プリントエンジン１６０によって画像形成が施された文書は排紙トレイ１７０に排紙される。
【００３０】
画像処理装置１がスキャナとして動作する場合は、ユーザによるディスプレイパネル１４０の操作若しくはネットワークＩ／Ｆ１８０を介して外部の機器から入力されるスキャン実行指示に応じて、操作表示制御部１０５若しくは入出力制御部１０３が主制御部１０１にスキャン実行信号を転送する。主制御部１０１は、受信したスキャン実行信号に基づき、エンジン制御部１０２を制御する。エンジン制御部１０２は、ＡＤＦ１１０を駆動し、ＡＤＦ１１０にセットされた撮像対象原稿をスキャナユニット１２０に搬送する。また、エンジン制御部１０２は、スキャナユニット１２０を駆動し、ＡＤＦ１１０から搬送される原稿を撮像する。また、ＡＤＦ１１０に原稿がセットされておらず、スキャナユニット１２０に直接原稿がセットされた場合、スキャナユニット１２０は、エンジン制御部１０２の制御に従い、セットされた原稿を撮像する。即ち、スキャナユニット１２０が撮像部として動作する。
【００３１】
撮像動作においては、スキャナユニット１２０に含まれるＣＣＤ等の撮像素子が原稿を光学的に走査し、光学情報に基づいた撮像情報が生成される。エンジン制御部１０２は、スキャナユニット１２０が生成した撮像情報を画像処理部１０４に転送する。画像処理部１０４は、主制御部１０１の制御に従い、エンジン制御部１０２から受信した撮像情報に基づき画像情報を生成する。画像処理部１０４が生成した画像情報はＨＤＤ４０等の画像処理装置１に装着された記憶媒体に保存される。画像処理部１０４によって生成された画像情報は、ユーザの指示に応じてそのままＨＤＤ４０等に格納され若しくはネットワークＩ／Ｆ１８０、近距離通信Ｉ／Ｆ１９０を介して、入出力制御部１０３により外部の装置に送信される。
【００３２】
また、画像処理装置１が複写機として動作する場合は、エンジン制御部１０２がスキャナユニット１２０から受信した撮像情報若しくは画像処理部１０４が生成した画像情報に基づき、画像処理部１０４が描画情報を生成する。その描画情報に基づいてプリンタ動作の場合と同様に、エンジン制御部１０２がプリントエンジン１６０を駆動する。
【００３３】
次に、本実施形態に係るモバイル端末３の機能構成について、図４を参照して説明する。図４に示すように、本実施形態に係るは、図２において説明したＬＣＤ６０、操作部７０に加えて、コントローラ２００、ネットワークＩ／Ｆ２１０及び近距離通信Ｉ／Ｆ２２０を含む。また、コントローラ２００は、ネットワーク制御部２０１、操作制御部２０２、表示制御部２０３、近距離通信制御部２０４及びクライアントアプリケーション２３０を含む。
【００３４】
ネットワークＩ／Ｆ２１０は、モバイル端末３がネットワークを介して他の機器と通信するためのインタフェースであり、Ｅｔｈｅｒｎｅｔ（登録商標）等のインタフェースが用いられる。近距離通信Ｉ／Ｆ２２０は、モバイル端末３が近距離無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。ネットワークＩ／Ｆ２１０、近距離通信Ｉ／Ｆ２２０は、図２に示すＩ／Ｆ５０によって実現される。
【００３５】
コントローラ２００は、ソフトウェアとハードウェアとの組み合わせによって構成される。コントローラ２００は、モバイル端末３全体を制御する制御部である。ネットワーク制御部２０１は、ネットワークＩ／Ｆ２１０を介して入力される情報を取得すると共に、ネットワークＩ／Ｆ２１０を介して他の機器に情報を送信する。近距離通信制御部２０４は、近距離通信Ｉ／Ｆ２２０を介して入力される情報を取得すると共に、近距離通信Ｉ／Ｆ２２０を介して他の機器に情報を送信する。
【００３６】
操作制御部２０２は、操作部７０に対するユーザによる操作内容の信号を取得し、クライアントアプリケーション２０４等のモバイル端末３において動作するモジュールに入力する。表示制御部２０３は、クライアントアプリケーション２３０のＧＵＩ（Ｇｒａｐｈｉｃａｌ  Ｕｓｅｒ  Ｉｎｔｅｒｆａｃｅ）等、モバイル端末３の状態をＬＣＤ６０に表示させる。
【００３７】
クライアントアプリケーション２３０は、本実施形態に係る画像処理システムの機能をモバイル端末３において利用するために、モバイル端末３にインストールされて動作するソフトウェア・プログラムによって構成される。クライアントアプリケーション２３０は、画像処理装置１、２に画像形成出力を実行させるために画像データを送信する機能、画像形成装置１、２との間でカードＲ／Ｗ１９０を介した近距離通信によって通信する際に、ＩＣ（Ｉｎｔｅｇｒａｔｅｄ  Ｃｉｒｃｕｉｔ）カードとして振る舞うためのカードエミュレーション機能を有する。
【００３８】
図５は、上述したカードエミュレーション機能のために、クライアントアプリケーション２３０が管理している情報の例を示す図である。図５に示す情報は、ＲＡＭ２０上に確保された記憶領域に格納される。図５に示す“カードＩＤ”は、モバイル端末３がＩＣカードとして振る舞う際に、対象のＩＣカードを識別するための識別情報である。“空き領域”は、モバイル端末３がＩＣカードとして振る舞う際に、対象のＩＣカードに記憶されているべき情報や、カードＲ／Ｗから書き込まれる情報を格納するための記憶領域である。
【００３９】
このようなシステムの構成において、本実施形態に係る画像処理システムは、モバイル端末３が印刷ジョブとして画像データを出力して画像処理装置１及び画像処理装置２のいずれか一方に画像形成出力を実行させると共に、他方の画像処理装置を連携させて双方に画像形成出力を実行させる。以下、本実施形態に係る画像処理システムの動作について図６に示すシーケンス図を用いて説明する。尚、図６においては、近距離通信によるやり取りを破線で、ネットワークによるやり取りを実線で示している。
【００４０】
ユーザは、モバイル端末３から画像データを送信して画像形成出力を実行する場合、まずモバイル端末３を画像処理装置１のカードＲ／Ｗ１９０に近付け、モバイル端末３の情報を画像処理装置１に読み取らせる。画像処理装置１においては、カードＲ／Ｗ１９０が入出力制御部１０３の制御に従ってポーリングを行っており（Ｓ６０１）、モバイル端末３が画像処理装置１のカードＲ／Ｗ１９０に近付けられると、モバイル端末３のクライアントアプリケーション２３０に含まれるカードエミュレーション機能により、近距離通信Ｉ／Ｆ２２０が、近距離通信制御部２０４の制御に従ってカードＲ／Ｗ１９０のポーリングに応答する（Ｓ６０２）。
【００４１】
モバイル端末３からのポーリング応答を受けた画像処理装置１においては、入出力制御部１０３がカードＲ／Ｗ１９０を介して、モバイル端末３に対してカードＩＤを要求する（Ｓ６０３）。モバイル端末３においては、上述したカードエミュレーション機能により、近距離通信Ｉ／Ｆ２２０が、近距離通信制御部２０４の制御に従ってカードＩＤを送信する（Ｓ６０４）。
【００４２】
カードＩＤを取得した画像処理装置１においては、入出力制御部１０３がカードＲ／Ｗ１９０を介して、モバイル端末３に画像処理装置１のＩＰアドレスを書き込む（Ｓ６０４）。このＩＰアドレスは、図５において説明した“空き領域”に格納される。これにより、モバイル端末３が画像処理装置１のＩＰアドレスを取得する。画像処理装置１のＩＰアドレスを取得したモバイル端末３においては、クライアントアプリケーション２３０が、取得したＩＰアドレスに対して、ネットワークを介して印刷ジョブを送信する（Ｓ６０６）。これにより、画像処理装置１は、モバイル端末３から受信した印刷ジョブに従って印刷を開始する（Ｓ６０７）。
【００４３】
画像処理装置１は、Ｓ６０７において、印刷を開始した印刷ジョブを識別するためのジョブＩＤと、その印刷ジョブの送信元であるモバイル端末において格納されているカードＩＤとを関連付けて保持する。図７（ａ）は、そのように関連付けられたテーブルの例を示す図である。
【００４４】
画像処理装置１に対する印刷ジョブの送信を完了すると、モバイル端末３のユーザは、画像処理装置１と連携させたい他の画像処理装置、即ち、ここでは画像処理装置２のカードＲ／Ｗ１９０に、モバイル端末３を近付け、モバイル端末３の情報を画像処理装置１に読み取らせる。画像処理装置２においては、カードＲ／Ｗ１９０が入出力制御部１０３の制御に従ってポーリングを行っており（Ｓ６０８）、モバイル端末３が画像処理装置１のカードＲ／Ｗ１９０に近付けられると、モバイル端末３のクライアントアプリケーション２３０に含まれるカードエミュレーション機能により、近距離通信Ｉ／Ｆ２２０が、近距離通信制御部２０４の制御に従ってカードＲ／Ｗ１９０のポーリングに応答する（Ｓ６０９）。
【００４５】
モバイル端末３からのポーリング応答を受けた画像処理装置２においては、入出力制御部１０３がカードＲ／Ｗ１９０を介して、モバイル端末３に対してカードＩＤを要求する（Ｓ６１０）。モバイル端末３においては、上述したカードエミュレーション機能により、近距離通信Ｉ／Ｆ２２０が、近距離通信制御部２０４の制御に従ってカードＩＤを送信する（Ｓ６１１）。
【００４６】
カードＩＤを取得した画像処理装置２においては、入出力制御部１０３がカードＲ／Ｗ１９０を介して、モバイル端末３に画像処理装置１のＩＰアドレスを書き込む（Ｓ６１２）。このＩＰアドレスは、図５において説明した“空き領域”に格納される。これにより、モバイル端末３が画像処理装置２のＩＰアドレスを取得する。
【００４７】
Ｓ６０８〜Ｓ６１２の処理は、Ｓ６０１〜Ｓ６０５の処理と同様である。即ち、これらの処理は、モバイル端末３を画像処理装置１、２のカードＲ／Ｗ１９０に読み取らせた場合に必ず実行される一連の処理である。そして、連携させるべき画像処理装置２においては、自身が連携機器であることを認識すると、入出力制御部１０３がカードＲ／Ｗ１９０を介して、モバイル端末３に対して既に印刷を開始している他の装置のＩＰアドレスを要求する（Ｓ６１３）。尚、画像処理装置１、２が、自身が連携機器であることを認識する処理については後に詳述する。
【００４８】
モバイル端末３においては、上述したカードエミュレーション機能により、近距離通信Ｉ／Ｆ２２０が、近距離通信制御部２０４の制御に従って、Ｓ６０５において取得したＩＰアドレスを画像処理装置２に送信する（Ｓ６１４）。これにより、画像処理装置２が、既に印刷を開始している画像処理装置１のＩＰアドレスを取得する。画像処理装置１のＩＰアドレスを取得した画像処理装置２においては、主制御部１０１の制御に従い、入出力制御部１０３がカードＲ／Ｗ１９０を介して、画像処理装置１に対して連携可能であることを通知する（Ｓ６１５）。この際、画像処理装置２は、Ｓ６１１において取得したカードＩＤを通知して連携可能通知を行う。
【００４９】
画像処理装置２から連携可能であることの通知を受けた画像処理装置１においては、主制御部１０１が、同時に通知されたカードＩＤに基づき、図７（ａ）に示すテーブルを参照してカードＩＤが一致するジョブを抽出することにより、連携させるべきジョブを判断する。そして、主制御部１０１は、連携させるべきジョブの一部を画像処理装置２に実行させるための連携ジョブを生成し、画像処理装置２に対して送信する（Ｓ６１６）。
【００５０】
Ｓ６１６において、画像処理装置１の主制御部１０１は、連携可能通知の送信元である画像処理装置２のＩＰアドレスを、図７（ａ）において説明したテーブルのうち、連携させるべきジョブとして判断したジョブのジョブＩＤと関連付けて保存する。これにより、図７（ｂ）に示すように、連携機器ＩＰアドレスが夫々のジョブＩＤと関連付けて保存される。Ｓ６１６の処理により、連携ジョブを画像処理装置１から受信した画像処理装置２は、通常の印刷ジョブに基づく画像形成出力と同様に、印刷を開始する（Ｓ６１７）。このような処理により、本実施形態に係る連携印刷動作が完了する。
【００５１】
Ｓ６１６において画像処理装置１の主制御部１０１が生成する連携ジョブとしては、例えば、現在実行中の印刷ジョブが複数部の印刷である場合、その部数の一部分を画像処理装置２に委託するための印刷ジョブである。１０部のうち３部の印刷を画像処理装置２に委託する場合、主制御部１０１は、Ｓ６０６において受信した印刷ジョブと同一の画像データで、部数が３部である印刷ジョブを生成して画像処理装置２に送信すると共に、画像処理装置１において実行中の印刷ジョブの部数から３部を差し引く。
【００５２】
また、主制御部１０１は、画像処理装置１において実行中の印刷ジョブが複数ページの印刷である場合、そのページの後半部分の一部分を画像処理装置２に委託するための連携ジョブを生成することも可能である。４０ページのうち１０ページの印刷を画像処理装置２に委託する場合、主制御部１０１は、Ｓ６０６において受信した印刷ジョブの画像データのうち、最後の１０ページ分の画像データの印刷を実行させるための印刷ジョブを生成して画像処理装置２に送信すると共に、画像処理装置１において実行中の印刷ジョブのうち、最後の１０ページ分の印刷出力を無効に設定する。
【００５３】
尚、画像処理装置２に送信する連携用の印刷ジョブは、上述したように、画像処理装置２に実行させるべき部分に基づいて生成された新たなジョブとする場合の他、画像処理装置１がモバイル端末３から受信した印刷ジョブに、画像処理装置２が実行するべき部分を示す情報が付加された情報とすることも可能である。この場合、画像処理装置１の主制御部１０１は、Ｓ６１６において、上述したように画像処理装置２に委託するべき部分を決定すると、その部分を示す情報をＳ６０６において受信した印刷ジョブに付加して、画像処理装置２に転送する。このような処理によっても上記と同様の効果を得ることが可能である他、新たなジョブを生成するための処理負荷を低減することが可能となる。
【００５４】
このように、本実施形態に係る画像処理システムにおいては、画像処理装置１、２がいずれもカードＲ／Ｗ１９０を有すると共に、モバイル端末３がカードＲ／Ｗ１９０によって読み取られるＩＣカードとしての機能を有する。そして、モバイル端末３から印刷ジョブを出力する場合において画像処理装置１及び画像処理装置２の双方に分散して出力を実行させたい場合には、夫々のカードＲ／Ｗにモバイル端末３を近付けるのみで良く、操作に不慣れなユーザであっても簡単に分散印刷を実現することが可能となる。
【００５５】
次に、画像処理装置２が、Ｓ６１３の処理に際して自身が連携機器であることを認識する処理について説明する。図８は、本実施形態に係る画像処理装置１、２が、自身が連携機器であることを認証する処理の一例を示すフローチャートである。図８に示すように、画像処理装置１、２の主制御部１０１は、図６のＳ６１２においてモバイル端末３にＩＰアドレスを通知すると、カウントを開始する（Ｓ８０１）。
【００５６】
主制御部１０１はカウントを開始すると共に、装置がアイドル状態、即ち、印刷ジョブを実行していない待機状態であるか否かを判断し（Ｓ８０２）、アイドル状態でなければ印刷ジョブが完了してアイドル状態になるまで待機する（Ｓ８０２／ＮＯ）。他方、装置がアイドル状態であれば（Ｓ８０２／ＹＥＳ）、次に主制御部１０１は、定められたカウント数をカウントアップしたか否か判断する（Ｓ８０３）。カウントアップの前に（Ｓ８０２／ＮＯ）、Ｓ６１１において取得したカードＩＤを含む印刷ジョブを受信した場合（Ｓ８０５／ＹＥＳ）、主制御部１０１は、図６のＳ６０７の通り、印刷を開始する。
【００５７】
カウントを開始した後、印刷ジョブを受信することなく（Ｓ８０５／ＮＯ）カウントアップした場合（Ｓ８０３／ＹＥＳ）、主制御部１０１は、自身が連携機器であると認識し（Ｓ８０４）、図６のＳ６１３の処理に移る。このように、図８の例において、画像処理装置１、２の主制御部１０１は、近距離通信を介してモバイル端末３との間で通信を行った後、所定のカウントアップ期間内に印刷ジョブを受信せず且つ自身が印刷ジョブを実行中でない場合に、自身が連携機器であると判断する。図８に示すような処理により、待機状態である画像処理装置を効率的に連携機器として動作させることが可能となる。
【００５８】
尚、図８の例を用いる場合、ユーザが１台目の画像処理装置に対して印刷ジョブを送信した後、すぐに２台目、即ち連携機器とするべき画像処理装置のカードＲ／Ｗに情報を読み取らせた場合であっても、上述した定められたカウントアップ期間は待機する必要がある。しかしながら、このカウントアップ期間が短すぎる場合、Ｓ６０６においてユーザが印刷ジョブを送信する前にカウントアップされてしまう可能性が高くなり、１台目の画像処理装置であるにも関わらずモバイル端末３への他機ＩＰアドレス要求の処理が発生してしまう。
【００５９】
このような課題を解決するためには、カウントアップ期間をなるべく短くした上で、モバイル端末３が図６のＳ６０５において１台目の画像処理装置からＩＰアドレスを取得した後、１台目の画像処理装置に対して速やかに印刷ジョブが送信されるようにすることが好ましい。そのような機能は、例えば、クライアントアプリケーション２３０の機能によって実現することが可能である。図９に、Ｓ６０２〜Ｓ６０６までのモバイル端末３におけるクライアントアプリケーション２３０の動作の一態様を示す。
【００６０】
モバイル端末３から画像データを送信して画像処理装置に画像形成出力を実行させる場合、ユーザは先に出力対象のファイルをモバイル端末３において選択する。これにより、図９に示すように、モバイル端末３のクライアントアプリケーション２３０は、操作制御部２０２を介して出力対象のファイルの選択を受け付ける（Ｓ９０１）。その後、ユーザがモバイル端末３を１台目の画像処理装置のカードＲ／Ｗ１９０に近付けることにより、モバイル端末３がポーリングに応答し（Ｓ９０２）、画像処理装置からのカードＩＤ要求に応じてカードＩＤを送信する（Ｓ９０３）。
【００６１】
カードＩＤ送信後、画像処理装置からＩＰアドレスが通知されることによりＩＰアドレスを取得すると（Ｓ９０４）、モバイル端末３のクライアントアプリケーション２３０は、Ｓ９０１において選択された対象ファイルについての印刷ジョブを生成し、Ｓ９０４において取得したＩＰアドレスに対して印刷ジョブを送信する（Ｓ９０５）。このように、モバイル端末３が画像処理装置のＩＰアドレスを取得してから印刷ジョブを送信するまでの処理を、クライアントアプリケーション２３０の機能によって自動化することにより、画像処理装置における図８のＳ８０３のカウントアップ期間が短めであっても、上述したような不要な他機ＩＰアドレス要求の処理が発生してしまうことを防ぐことができる。
【００６２】
図８、９に示すような、画像処理装置側においてカウントアップにより連携機器であるか否かを判断する態様の他、モバイル端末３のクライアントアプリケーション２３０によって、図５に示すように格納されている情報に基づいて判断する態様も考えられる。例えば、図６のＳ６０２〜Ｓ６０６の処理が実行されることにより、モバイル端末３においては、画像処理装置１のＩＰアドレスが“空き領域”に格納される。従って、画像処理装置２においては、モバイル端末３における図５に示す“空き領域”の情報を読み出して参照し、他の機器のＩＰアドレスが格納されている場合に、自身が連携機器であることを認識することが可能である。
【００６３】
尚、画像処理装置２が連携機器であることを判断するための情報としては、上述した画像処理装置１のＩＰアドレスの他、その判断のために格納されたフラグ情報を用いることも可能である。そのような態様は、モバイル端末３が、Ｓ６０６において画像処理装置１に印刷ジョブを送信する際に、図５に示す“空き領域”に上述したフラグ情報を格納することによって可能である。
【００６４】
このような処理は、例えば図６のＳ６０３やＳ６１０において、画像処理装置がモバイル端末２にカードＩＤを要求する際に、カードＩＤのみならず“空き領域”の情報も含めて情報を要求することにより容易に実現可能である。この他、Ｓ６０５やＳ６１２のＩＰアドレスの通知処理が完了した後に、画像処理装置がモバイル端末３に対して“空き領域”の情報を要求するようにしても良い。
【００６５】
このような態様の場合、既に完了したジョブについてのＩＰアドレスが“空き領域”に残っていると、ユーザの意図に反して連携機器としての認識が行われてしまう場合がある。従って、主制御部１０１は、図６のＳ６０６において画像処理装置１に対して印刷ジョブを送信した後、所定期間が経過した場合には“空き領域”に格納した画像処理装置１のＩＰアドレスや、上述したフラグ情報を消去することが好ましい。
【００６６】
このＩＰアドレスを消去するまでの期間は、予め定められた固定の期間としても良いし、出力した印刷ジョブの内容に応じて出力完了に要する時間を主制御部１０１が計算し、その計算結果に基づいて定められた値としても良い。この他、画像処理装置１が、モバイル端末３から受信した印刷ジョブの出力を完了した場合、モバイル端末１に完了通知を送信し、モバイル端末３が、画像処理装置１から完了通知を受信することにより、画像処理装置１のＩＰアドレスを“空き領域”から消去するようにしても良い。
【００６７】
尚、画像処理装置１において印刷出力が完了するタイミングにおいては、モバイル端末３は画像処理装置１のカードＲ／Ｗ１９０との間で近距離通信が不可能な状態となっていることが考えられる。従って、モバイル端末３が画像処理装置１からの完了通知を受けるためには、画像処理装置１がモバイル端末３のＩＰアドレスを保持しておく必要がある。これは、例えばＳ６０３において、画像処理装置１がカードＩＤに加えてＩＰアドレスを要求し、モバイル端末３がＳ６０４においてカードＩＤ及びＩＰアドレスを送信することによって容易に実現可能である。
【００６８】
また、上記実施形態においては、図６において説明したように、印刷ジョブの連携の態様として、画像処理装置１が実行している印刷ジョブの部数の一部分や、複数ページの一部分を、画像処理装置２が連携して処理する態様を例として説明した。この他、画像処理装置１における印刷動作が、用紙切れ、トナー切れ、用紙ジャム等によって停止した場合に、画像処理装置２が印刷動作を引き継ぐような態様も可能である。
【００６９】
このような場合、画像処理装置１の印刷動作が上述したような理由により停止したことを確認したユーザは、図６において説明した態様と同様に、画像処理装置２のカードＲ／Ｗ１９０にモバイル端末３を読み取らせる。その結果、図６において説明したＳ６０８〜Ｓ６１５の処理が実行され、画像処理装置２が画像処理装置１に対して連携可能通知を行う。
【００７０】
上述したような要因によって印刷動作を停止した画像処理装置１は、画像処理装置２からの連携可能通知を受けると、実行中の印刷ジョブの一部ではなく、全部を画像処理装置２に転送する。これにより、画像処理装置２は、画像処理装置１が完了できずに停止した印刷ジョブを実行するため、ユーザは意図した対象ファイルの紙出力を得ることが可能となる。
【００７１】
尚、上述したような要因によって印刷動作が停止した後に画像処理装置２からの連携可能通知を受けた画像処理装置１は、紙出力を完了した範囲を判断し、残りの紙出力を実行するためのジョブを新たに生成して画像処理装置２に送信するようにしても良い。例えば、画像処理装置１が複数部の書類の印刷出力を実行しており、その一部分の部数について印刷出力が完了した後に動作を停止した場合、画像処理装置１は残りの部数分の印刷ジョブを生成して画像処理装置２に送信する。また、画像処理装置１が複数ページの書類の印刷出力を実行しており、その一部分のページについて印刷出力が完了した後に動作を停止した場合、画像処理装置１は残りのページ分の印刷ジョブを生成して画像処理装置２に送信する。このような処理により、同一の書類が重複して出力されてしまうことを防ぐことができる。
【符号の説明】
【００７２】
１、２  画像処理装置
３  モバイル端末
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  主制御部
１０２  エンジン制御部
１０３  入出力制御部
１０４  画像処理部
１０５  操作表示制御部
１１０  ＡＤＦ
１２０  スキャナユニット
１３０  排紙トレイ
１４０  ディスプレイパネル
１５０  給紙テーブル
１６０  プリントエンジン
１７０  排紙トレイ
１８０  ネットワークＩ／Ｆ
１９０  近距離通信Ｉ／Ｆ
２００  コントローラ
２０１  ネットワーク制御部
２０２  操作制御部
２０３  表示制御部
２０４  近距離通信制御部
２１０  ネットワークＩ／Ｆ
２２０  近距離通信Ｉ／Ｆ
２３０  クライアントアプリケーション
【先行技術文献】
【特許文献】
【００７３】
【特許文献１】特開２０１１−４８４８３号公報
【図１】
2014038421.tif 000003
【図２】
2014038421.tif 000004
【図３】
2014038421.tif 000005
【図４】
2014038421.tif 000006
【図５】
2014038421.tif 000007
【図６】
2014038421.tif 000008
【図７】
2014038421.tif 000009
【図８】
2014038421.tif 000010
【図９】
2014038421.tif 000011